(57)【要約】【課題】励起光の一部を利用することにより、フィルタ装着の作業性に優れた照明装置の提供。【解決手段】光源光から励起フィルタ７により抽出した励起光Ｌ２の一部をダイクロイックミラー８で反射して観察試料に照射する照明装置３において、ダイクロイックミラー８を透過して観察光路外に導かれた励起光Ｌ４を受光し、受光した励起光Ｌ４に基づいて光路中に配置されたフィルタブロック３１ａの種類をフィルタ識別部７で識別する。フィルタ識別部３７には励起フィルタ７と同一フィルタ部材で形成されたパネルが設けられており、励起光Ｌ４はパネルを透過する。その結果、励起フィルタ７とパネルが光って見えることにより、フィルタブロック３１ａの種類を容易に識別することができる。【選択図】        図３
2004252035.tif 000002
【特許請求の範囲】
【請求項１】
光源光から励起フィルタにより抽出した励起光をダイクロイックミラーで反射して観察試料に照射し、その試料から発生する蛍光像を観察する蛍光顕微鏡において、
前記ダイクロイックミラーで反射されずに前記ダイクロイックミラーを透過して進む励起光を受光し、受光した励起光に基づいて前記励起フィルタの種類を表示するフィルタ識別手段を備えたことを特徴とする蛍光顕微鏡。
【請求項２】
請求項１に記載の蛍光顕微鏡において、
前記フィルタ識別手段の識別表示部を、接眼側から視認可能な位置に設けたことを特徴とする蛍光顕微鏡。
【請求項３】
蛍光顕微鏡に装着され、光源光から励起フィルタにより抽出した励起光をダイクロイックミラーで反射して観察試料に照射する照明装置において、
前記ダイクロイックミラーで反射されずに前記ダイクロイックミラーを透過して進む励起光を受光し、受光した励起光に基づいて前記励起フィルタの種類を表示するフィルタ識別手段を備えたことを特徴とする照明装置。
【請求項４】
請求項３に記載の照明装置において、
前記フィルタ識別手段は、前記ダイクロイックミラーで反射されずに前記ダイクロイックミラーを透過した励起光が照射され、前記励起フィルタと同一部材で形成された光学部材を備え、
前記光学部材を透過した光を観察することにより前記励起フィルタの種類を表示することを特徴とする照明装置。
【請求項５】
請求項３に記載の照明装置において、
前記フィルタ識別手段は、前記ダイクロイックミラーで反射されずに前記ダイクロイックミラーを透過した励起光が照射され、前記励起光の照射により蛍光を発生する蛍光物質を含む光学部材を備え、
前記光学部材からの蛍光を観察することにより前記励起フィルタの種類を表示することを特徴とする照明装置。
【請求項６】
蛍光顕微鏡に装着され、光源光から励起フィルタにより抽出した励起光をダイクロイックミラーで反射して観察試料に照射する照明装置において、
前記励起フィルタで反射された光により照明され、前記励起フィルタの種類を表す標識と、
前記標識からの光を照明装置外へ導く光学系とを備えたことを特徴とする照明装置。
【請求項７】
請求項３〜６のいずれかに記載の照明装置において、
励起フィルタとその励起フィルタに対応したダイクロイックミラーを含むフィルタセットを複数装着可能であって、前記複数のフィルタセットのいずれかを光路中に選択的に配置可能な装着部を備え、
前記フィルタ識別手段は、光路中に配置されフィルタセットの励起フィルタの種類を表示することを特徴とする照明装置。
【請求項８】
請求項３〜７のいずれかに記載の照明装置において、
前記フィルタ識別手段の識別表示部を、装着された蛍光顕微鏡の接眼側から視認可能な位置に設けたことを特徴とする照明装置。
【発明の詳細な説明】
【０００１】
【発明の属する技術分野】
本発明は、蛍光顕微鏡および蛍光顕微鏡に用いられる照明装置に関する。
【０００２】
【従来の技術】
蛍光顕微鏡は、蛍光物質を結合させた試薬で試料の特定の組織を染色し、試料へ励起光を照射して観察を行うものである。試料に励起光を照射すると、蛍光物質で染色された組織から蛍光が発せられ、その蛍光を顕微鏡で観察することにより組織の状態を知ることができる。
【０００３】
試料に励起光を照射する照明装置は、光源、励起フィルタ、ダイクロイックミラーおよびバリアフィルタを備えている。励起フィルタ、ダイクロイックミラーおよびバリアフィルタは一組のフィルタセットを構成しており、このフィルタセットは、光源光から励起光のみを選択して試料に照射させ、試料から発せられた蛍光から必要な光のみを観察光として接眼光学系へと送る機能を有している。
【０００４】
通常、フィルタセットは使用される試薬の特性毎に複数用意され、照明装置に設けられたフィルタセット切換装置によって観察目的に合わせて切り換えられる。フィルタセット切換装置には、例えば、ターレット方式のものがあり、複数のフィルタセットが装着されたターレットを回転することにより所望のフィルタセットを光路上に配設することができる（例えば、特許文献１参照）。
【０００５】
【特許文献１】
特開２００２−９０６３０号公報
【０００６】
上述したようなターレット方式のフィルタセット切換装置では、光路上に配置されたフィルタセットの種類が分かるように、フィルタ識別用銘板をターレットに貼付するようにしている。ターレットを回転して任意のフィルタセットを光路上に配置すると、それに対応した銘板が確認位置に位置決めされてフィルタセットの種類が分かるようになっている。
【０００７】
【発明が解決しようとする課題】
ところが、フィルタセットの装着の度にターレットを回転して対応する位置に銘板を貼付するのは煩わしい作業であり、特に蛍光顕微鏡の観察は暗室で行われるため、作業に慣れていてもセッティングに非常に手間がかかっていた。
【０００８】
本発明は、試料に照射されない不要な迷光を利用することにより、フィルタ装着の作業性に優れた蛍光顕微鏡や蛍光顕微鏡に用いられる照明装置を提供するものである。
【０００９】
【課題を解決するための手段】
請求項１の発明は、光源光から励起フィルタにより抽出した励起光をダイクロイックミラーで反射して観察試料に照射し、その試料から発生する蛍光像を観察する蛍光顕微鏡に適用され、ダイクロイックミラーで反射されずにダイクロイックミラーを透過して進む励起光を受光し、受光した励起光に基づいて励起フィルタの種類を表示するフィルタ識別手段を備えたことを特徴とする。
請求項３の発明は、蛍光顕微鏡に装着され、光源光から励起フィルタにより抽出した励起光をダイクロイックミラーで反射して観察試料に照射する照明装置に適用され、ダイクロイックミラーで反射されずにダイクロイックミラーを透過して進む励起光を受光し、受光した励起光に基づいて励起フィルタの種類を表示するフィルタ識別手段を備えたことを特徴とする。
フィルタ識別手段に、ダイクロイックミラーで反射されずにダイクロイックミラーを透過した励起光が照射され、励起フィルタと同一部材で形成された光学部材を設け、光学部材を透過した光を観察することにより励起フィルタの種類を表示するようにしても良い。
また、フィルタ識別手段に、ダイクロイックミラーで反射されずにダイクロイックミラーを透過した励起光が照射され、励起光の照射により蛍光を発生する蛍光物質を含む光学部材を設け、その光学部材からの蛍光を観察することにより励起フィルタの種類を表示するようにしても良い。
請求項６の発明は、蛍光顕微鏡に装着され、光源光から励起フィルタにより抽出した励起光をダイクロイックミラーで反射して観察試料に照射する照明装置に適用され、励起フィルタで反射された光により照明され、励起フィルタの種類を表す標識と、標識からの光を照明装置外へ導く光学系とを備えたことを特徴とする。
また、励起フィルタとその励起フィルタに対応したダイクロイックミラーを含むフィルタセットを複数装着可能であって、複数のフィルタセットのいずれかを光路中に選択的に配置可能な装着部を設け、光路中に配置されフィルタセットの励起フィルタの種類を表示するようにしても良い。
さらに、フィルタ識別手段の識別表示部を、接眼側から視認可能な位置に設けるようにしても良い。
【００１０】
【発明の実施の形態】
以下、図を参照して本発明の実施の形態を説明する。
−第１の実施の形態−
図１，２は本発明による蛍光顕微鏡の第１の実施の形態を示す図である。図１は励起光が試料に照射されるまでの光路を示したものであり、図２は試料から発せられた蛍光が接眼光学系に導かれるまでの光路を示したものである。蛍光顕微鏡１には落射型の照明装置３が装着されている。照明装置３には水銀ランプＬを有する光源２２が接続されており、水銀ランプＬを出射した光はコレクタレンズ２を通して照明装置３に平行光として入射する。
【００１１】
照明装置３に入射した平行光束は、レンズ４により開口絞り位置５にいったん結像される。開口絞り位置５に結像された光束は、レンズ６および励起フィルタ７を通った後にダイクロイックミラー８で反射されて第一対物レンズ１０の瞳位置９に結像し、第一対物レンズ１０により試料１１に平行光束として照射される。
【００１２】
励起フィルタ７は、光源光Ｌ１から特定波長域の光を励起光Ｌ２として透過させるフィルタである。また、ダイクロイックミラー８は上記特定波長域以下の光を反射する特性を有しており、励起光Ｌ２はダイクロイックミラー８により反射される。試料１１は予め複数の試薬によって染色されており、ダイクロイックミラー８で反射された励起光Ｌ２が試料１１に入射すると、その励起光Ｌ２に反応する蛍光物質が蛍光Ｌ３（図２参照）を発生する。この蛍光Ｌ３の波長は、照射した励起光Ｌ２の波長よりも少しだけ長波長側にシフトしている。
【００１３】
図２に示すように、試料１１から発せられた蛍光Ｌ３は、第一対物レンズ１０を通って平行光となった後にダイクロイックミラー８に入射する。蛍光Ｌ３は励起光Ｌ２よりも長波長側にシフトしているため、ダイクロイックミラー８を透過してバリアフィルタ１２に入射する。なお、試料からの光には蛍光Ｌ３だけでなく励起光Ｌ２も含まれており、波長が上記特定波長域以下の光はダイクロイックミラー８により反射されて光源方向へと進む。
【００１４】
バリアフィルタ１２は蛍光Ｌ３を透過するフィルタである。バリアフィルタ１２を透過した蛍光Ｌ３は第二対物レンズ１３により収束し、プリズム１４，１５，１６，１７を通って接眼レンズ１９の手前の結像位置１８に集光される。この結像位置１８に結像された蛍光像を、接眼鏡筒２０に設けられた接眼レンズ１９で観察する。励起フィルタ７，ダイクロイックミラー８およびバリアフィルタ１２は、特定の蛍光Ｌ３を観察するためのフィルタセットを構成している。
【００１５】
例えば、緑色の光（波長５１０ｎｍ〜５６０ｎｍ）を透過する励起フィルタ７の場合には、５７５ｎｍ以下の光を反射し波長５７５ｎｍより長波長の光を透過するダイクロイックミラー８と、波長５９０ｎｍ以上の光を透過するバリアフィルタ１２とでフィルタセットを構成する。水銀ランプＬからは波長３００ｎｍ〜８００ｎｍの光Ｌ１が発せられ、励起フィルタ７は波長５１０ｎｍ〜５６０ｎｍの光を励起光Ｌ２として透過する。波長３１０ｎｍ〜５１０ｎｍおよび５６０ｎｍ〜８００ｎｍの光は励起フィルタ７によりほとんどが反射され、一部が吸収される。
【００１６】
ダイクロイックミラー８は波長５７５ｎｍ以下の光を反射するので、励起光Ｌ３（５１０ｎｍ〜５６０ｎｍ）は反射される。しかし、実際上は数％〜１０％程度の光が透過するので、例えば、入射した励起光Ｌ２の１０％が透過すると仮定すると、９０％が試料方向に反射されることになる。反射された励起光Ｌ２が試料１１に照射されると、試料中の蛍光物質からは長波長側にシフトした蛍光Ｌ３が発生する。ここでは、蛍光Ｌ３の波長を６００ｎｍとする。６００ｎｍの蛍光Ｌ３はダイクロイックミラー８およびバリアフィルタ１２を透過して接眼光学系へと導かれる。
【００１７】
図２に戻って、２１は、カメラやＣＣＤ撮像装置等が装着される撮像鏡筒である。プリズム１４は、第二対物レンズ１３からの蛍光Ｌ３を接眼鏡筒２０および撮像鏡筒２１のいずれかに振り分ける光路切り換え部としても機能している。すなわち、図２に示すようにプリズム１４を蛍光Ｌ３の光路中に挿入すると、蛍光Ｌ３はプリズム１４を通って接眼鏡筒２０のプリズム１４へと導かれる。一方、プリズム１４を蛍光Ｌ３の光路外へ退避させると、第二対物レンズ１３を出射した蛍光Ｌ３は撮像鏡筒２１へと進み、撮像鏡筒２１に装着されたカメラ等により蛍光像が撮像される。
【００１８】
図３は照明装置３のフィルタセット装着部分の拡大図であり、図４は装着部分に収納された複数のフィルタセットを示す平面図である。一組のフィルタセットを構成する励起フィルタ７，ダイクロイックミラー８およびバリアフィルタ１２は共通のフィルタブロック３１ａに取り付けられており、それらはフィルタブロック単位で照明装置３のターレット３０に装着される。ターレット３０は、軸受３２を介して中空の固定軸３３に回転自在に取り付けられている。
【００１９】
ターレット３０には複数のフィルタブロックが装着可能であって、図４に示す例では４つのフィルタブロック３１ａ〜３１ｄがターレット３０に装着されている。各フィルタブロック３１ａ〜３１ｄにはそれぞれ透過特性の異なる励起フィルタ７が装着されており、光路中に配置されるフィルタブロックを切り換えることにより、励起光Ｌ２の波長域を切り換えることができる。
【００２０】
各フィルタブロック３１ａ〜３１ｄには励起フィルタ７の透過特性に対応したダイクロイックミラー８およびバリアフィルタ１２が各々設けられている。ターレット３０を回転することによりフィルタブロックの切換を行うことができ、例えば、図４に示す状態からターレット３０を右回りに９０度回転すると、フィルタブロック３１ｂが光路中に配設される。
【００２１】
図３に戻って、各フィルタブロック３１ａ〜３１ｄには、ダイクロイックミラー８を挟んで励起フィルタ７と対向する位置に開口３００が形成されている。さらに、固定軸３２は、光路中に配置されたフィルタブロック３１ａの開口３００と対向する部分に、固定軸３２の中空部分に貫通する孔３５が形成されている。上述したように、ダイクロイックミラー８に入射した励起光Ｌ２の一部はダイクロイックミラー８を透過するが、その透過励起光Ｌ４は開口３００および孔３５を通って固定軸中空部に４５度の角度で設けられた反射ミラー３４により図示上方へと導かれる。
【００２２】
ダイクロイックミラー８を透過した励起光Ｌ４がフィルタブロック３１ａ内で反射・散乱されると、その光が接眼レンズ１９まで達して試料観察の障害となる。そこで、本実施の形態では、透過励起光Ｌ４を開口３００および孔３５を通して観察光路外へ逃がし、反射ミラー３４でターレット３０の上方に導くようにしている。ターレット３０の上方に導かれた励起光Ｌ４は、さらに反射ミラー３６によって図示左方向の観察者側に反射されてフィルタ識別部３７に入射する。
【００２３】
図５はフィルタ認識部３７を示す図であり、（ａ）は観察者側から見た図であり、（ｂ）はフィルタ認識部３７の拡大図である。フィルタ認識部３７には複数のフィルタ認識用パネルＰ１〜Ｐ９が設けられており、反射ミラー３４で反射された透過励起光Ｌ４はこれらのパネルＰ１〜Ｐ９に照射される。各パネルＰ１〜Ｐ９には、透過励起光Ｌ４の波長を示す数字がそれぞれ記されている。そして、各パネルＰ１〜Ｐ９は、記されている数字に対応した波長の光を透過するフィルタ部材で形成されている。
【００２４】
例えば「５００−」と記されたパネルＰ５は、波長５００ｎｍ〜５５０ｎｍの光を透過するフィルタ部材からなる。そのため、透過励起光Ｌ４の波長が５００ｎｍ〜５５０ｎｍの範囲であればパネルＰ１を透過し、暗室内で観察している観察者によって視認される。すなわち、パネルＰ５が透過励起光Ｌ４の色に光り、、数字の部分だけ黒く見えることになる。
【００２５】
その他のパネルについても同様で、パネルＰ１は波長３００ｎｍ〜３５０ｎｍの光を、パネルＰ２は波長３５０ｎｍ〜４００ｎｍの光を、パネルＰ３は波長４００ｎｍ〜４５０ｎｍの光を、パネルＰ４は波長４５０ｎｍ〜５００ｎｍの光を、パネルＰ６は波長５５０ｎｍ〜６００ｎｍの光を、パネルＰ７は波長６００ｎｍ〜６５０ｎｍの光を、パネルＰ８は波長６５０ｎｍ〜７００ｎｍの光を、パネルＰ９は波長７００ｎｍ以上の光を透過する。
【００２６】
このように、上述した実施の形態では、光って見えるパネルＰ１〜Ｐ９の数字から、使用しているフィルタブロックの波長域を容易に認識できる。さらに、透過励起光Ｌ４を利用しているため、光路中のフィルタブロックの種類を間違うことがない。また、透過励起光Ｌ４の波長はフィルタブロック３１ａ〜３１ｄの種類によって異なるので、認識した波長域から光路中に挿入されたフィルタブロックの種類を推定することができる。
【００２７】
フィルタブロック３１ａ〜３１ｄをターレット３０に装着する場合にも、従来のように銘板の貼付位置とフィルタブロック３１ａ〜３１ｄの装着位置とを一々確認して装着する必要がなく、作業性が向上する。さらに、フィルタ認識部３７を接眼鏡筒２０の下方であって、接眼側の観察者から見やすい位置に設けているため、観察作業中でも接眼部から眼を少しずらすだけで容易にフィルタ確認をすることができる。
【００２８】
［第１変形例］
図６は上述した蛍光顕微鏡の第１の変形例を示す図である。フィルタ認識部３７にはフィルタブロックの種類に対応したパネル３７ａ〜３７ｈが填め込まれている。例えば、パネル３７ａ〜３７ｄがフィルタブロック３１ａ〜３１ｄに対応するパネルである。パネル３７ｄはフィルタブロック３１ｄに組み込まれている励起フィルタ７と同一フィルタ部材で形成されており、励起フィルタ７を透過する励起光Ｌ２の色を表すアルファベットが印字されている。
【００２９】
フィルタブロック３１ｄの励起フィルタ７を透過する励起光Ｌ２の波長域は青色の光に対応し、対応するパネル３７ｄには励起光Ｌ２の色を表す「Ｂ」の文字が印字されている。すなわち、フィルタブロック３１ｄを用いて観察を行っているときにはパネル３７ｄが光って見えるため、フィルタブロックの種類を直接に識別することができる。パネル３７ａ〜３７ｈは各々取り外して交換できるような構成となっており、予め使用予定のフィルタブロックに合わせてパネルを装着すれば良い。
【００３０】
なお、フィルタブロック３１ａによる励起光Ｌ２は紫外光（ＵＶ）であって、パネル３７ａにはＵＶの文字が印字されている。しかし、紫外光を視認することはできないので、パネル３７ａの部材に紫外光が照射されると発光する蛍光物質を含有させ、その蛍光によりパネル３７ａが光るのを確認する。このような蛍光物質を含有させる処理は、紫外光のように見えない光に限らず、可視光を励起光Ｌ２として用いるフィルタブロックのパネルに関しても適用することができる。
【００３１】
［第２変形例］
図７は上述した蛍光顕微鏡の第２の変形例を示す図である。図７は照明装置３のフィルタブロック装着部分を示す図であり、（ａ）は図３と同様の断面図、（ｂ）は平面図である。なお、上述した実施の形態と同様に部分には同一の符号を付した。ターレット３０の固定軸３２には、励起光Ｌ４の光路に沿って孔４０，４１が形成されている。ダイクロイックミラー８を透過した励起光Ｌ４は、フィルタブロック３１ａの開口３００および固定軸３２の孔４０，４１を通ってフィルタ認識部３７に入射する。なお、他のフィルタブロック３１ａ〜３１ｅにも同様の開口３００が形成されている。
【００３２】
フィルタ認識部３７は図５および図６に示したものと同一構成であり、励起光Ｌ４に対応するパネルＰ１〜Ｐ９，３７ａ〜３７ｈを通して励起光Ｌ４の色を観察することができる。その結果、上述した実施の形態と同様の効果を得ることができるとともに、反射ミラー３３，３５を省略することができる。
【００３３】
−第２の実施の形態−
図８は本発明による蛍光顕微鏡の第２の実施の形態を示す図である。図８は蛍光顕微鏡の照明装置３のフィルタブロック収納部分を説明する図であり、（ａ）は平面図、（ｂ）は側面図、（ｃ）はフィルタブロック単体を示す。なお、平面図および側面図とも一部を破断面で示した。励起フィルタ７は、上述したように特定波長域の光のみを励起光として透過し、特定波長域外の光に関してはほとんどが反射される。
【００３４】
例えば、フィルタブロック３１ａの励起光が緑色の光（波長５１０ｎｍ〜５６０ｎｍ）であった場合、波長３００ｎｍ〜８００ｎｍの光源光Ｌ１に含まれる波長５１０ｎｍ〜５６０ｎｍの光は励起光Ｌ２として励起フィルタ７を透過し、残りの波長３１０ｎｍ〜５１０ｎｍおよび５６０ｎｍ〜８００ｎｍの光Ｌ５のほとんどが励起フィルタ７により反射される。
【００３５】
この反射光Ｌ５は励起フィルタ７とレンズ５との間で多重反射され、その多重反射光Ｌ５によってフィルタブロック３１ａに貼付された銘板４４が照明される。図８（ｂ），（ｃ）に示すように、フィルタブロック３１ａの励起フィルタ側の面には、フィルタブロック識別用符号が印字された銘板４４が貼付されている。
【００３６】
照明された銘板からの光Ｌ６は、図８（ａ）に示すように、銘板４４と対向する位置に設けられた反射ミラー４５により反射され、照明装置３に設けられた窓４６から外部に漏れ出る。そのため、観察者は窓４６を覗くことにより、光路上にあるフィルタブロック３１ａの種類を識別することができる。銘板４４を、光を反射しやすい部材で形成したり、蛍光物質を含んだ部材で形成したりすることにより、多重反射光Ｌ５で照明されたときの視認性が向上する。本実施の形態の場合も、第１の実施の形態と同様に光路中に配置されたフィルタブロックの種類を容易に識別することができる。
【００３７】
−第３の実施の形態−
図９は本発明による蛍光顕微鏡の第３の実施の形態を示す図である。図９は、顕微鏡の撮像鏡筒２１（図１参照）にＣＣＤカメラ５０を装着して観察する場合を示している。バリアフィルタ１２を透過した蛍光Ｌ３は、第二対物レンズ１３（図２参照）によってＣＣＤカメラ５０内のＣＣＤ撮像素子５１上に結像される。撮像信号はコントローラ５２に送られ、その信号に基づいて種々のデータ処理が行われる。観察画像等のデータ処理結果はモニタ５３に表示される。
【００３８】
一方、ダイクロイックミラー８を透過した励起光Ｌ４は、開口３００，孔３５を通って反射ミラー３４により図示上方に反射され、ＣＣＤカメラ５０に設けられたフォトダイオードアレイ５４によって受光される。その結果、励起光Ｌ４の波長を認識することができ、その波長から光路中に配置されたフィルタブロック３１ａの種類を識別することができる。識別結果はモニタ５３に表示され、観察者はモニタ５３上の表示内容からフィルタブロック３１ａの種類を容易に知ることができる。
【００３９】
また、ターレット３０をモータ等により回転駆動してフィルタブロックの切換を行う構成の蛍光顕微鏡の場合には、コントローラ５２にフィルタブロックの種類を入力するだけで、指定のフィルタブロックを自動的に光路中に配置するような構成が可能となる。すなわち、フォトダイオードアレイ５４で透過励起光Ｌ４を常に検出しているので、モータを駆動してターレット３０を回転し、透過励起光Ｌ４の波長が指定のフィルタブロックのものと認識されたならばモータを停止して、そのフィルタブロックを光路中に位置決めすれば良い。
【００４０】
図９に示す例では、ＣＣＤカメラ５０にフォトダイオードアレイ５４を設けたが、図１０に示すように照明装置３内にフォトダイオードアレイ５４を設け、その検出結果によりパネルＰ１〜Ｐ９の背後に設けられたＬＥＤ５６を点灯するようにしても良い。フォトダイオードアレイ５４の検出信号に基づくＬＥＤ５６の点灯切換は、表示制御回路５５によって行われる。
【００４１】
−第４の実施の形態−
上述した実施の形態では、回転自在なターレット３０に複数のフィルタブロックを装着して、フィルタブロックの切り換えを行うターレット式の蛍光顕微鏡を例に説明したが、スライダ方式の蛍光顕微鏡についても同様に適用することができる。図１１はスライダ方式の蛍光顕微鏡の一例を示す図であり、（ａ）は照明装置３の断面を示す図であり、（ｂ）は照明装置３を接眼側から見た図である。なお、図１１（ｂ）では照明装置３の一部を破断面とした。
【００４２】
照明装置３に設けられたスライダ収納部６０内には、複数のフィルタブロック３１ａ，３１ｂ，３１ｃを一列に並べて装着するスライダ６１が設けられている。スライダ６１は、レール６２上に図１１（ａ）の左右方向に移動可能に載置されている。そして、ノブ６３を持って左または右に引っ張るとスライダ６１がレール６２上を左右方向に移動し、光路中に配置されるフィルタブロックを切り換えることができる。上述した実施の形態と同様に、各フィルタブロック３１ａ〜３１ｃには、ダイクロイックミラー８の透過励起光Ｌ４を逃がすための開口３００が形成されている。また、スライダ６１にも、各フィルタブロック３１ａ〜３１ｃの開口３００と対向する位置に開口６４がそれぞれ形成されている。
【００４３】
開口３００，６４を通過した励起光Ｌ４は照明装置３に設けられたフィルタ認識部３７に入射する。フィルタ認識部３７の構成は上述した第１の実施の形態と同様であるので説明を省略するが、第１の実施の形態と同様の効果を奏することができる。
【００４４】
以上説明した実施の形態では、例えば、フィルタ認識部３７や図８のフィルタ認識部３７はフィルタ識別手段を、パネル３７ａ〜３７ｈ，Ｐ１〜Ｐ９は識別表示部を、銘板４４は標識を、反射ミラー４５および窓４６は光学系を、ターレット３０，スライダ６１およびレール６２は装着部を、パネル３７ａ〜３７ｈ，Ｐ１〜Ｐ９およびモニタ５３は表示部をそれぞれ実施している。しかし、本発明の特徴を損なわない限り、本発明は上記実施の形態に何ら限定されるものではない。
【００４５】
【発明の効果】
以上説明したように、本発明によれば、ダイクロイックミラーで反射されずにダイクロイックミラーを透過してしまった励起光をフィルタ識別手段に導き、その励起光に基づいて励起フィルタの種類を識別するようにしたので、容易にかつ正確に励起フィルタの種類を識別することができる。
【図面の簡単な説明】
【図１】本発明による蛍光顕微鏡の第１の実施の形態を示す図である。
【図２】試料から発せられた蛍光が顕微鏡の接眼光学系に導かれるまでの光路を示す図である。
【図３】照明装置３のフィルタブロック装着部分の拡大図である。
【図４】照明装置３に装着された複数のフィルタブロック３１ａ〜３１ｄを示す図である。
【図５】フィルタ認識部３７を示す図であり、（ａ）は観察者側から見た図であり、（ｂ）はフィルタ認識部３７の拡大図である。
【図６】蛍光顕微鏡の第１変形例を示す図である。
【図７】蛍光顕微鏡の第２変形例を示す図であり、（ａ）はフィルタブロック装着部分の断面図、（ｂ）は平面図である。
【図８】第２の実施の形態の蛍光顕微鏡における照明装置３のフィルタブロック収納部分を説明する図であり、（ａ）は平面図、（ｂ）は側面図、（ｃ）はフィルタブロック単体を示す。
【図９】本発明による蛍光顕微鏡の第３の実施の形態を示す図である。
【図１０】図９の装置の変形例を示す図である。
【図１１】本発明による蛍光顕微鏡の第４の実施の形態を示す図であり、（ａ）は照明装置３の断面を示す図であり、（ｂ）は照明装置３を接眼側から見た図である。
【符号の説明】
１  蛍光顕微鏡
３  照明装置
７  励起フィルタ
８  ダイクロイックミラー
１０  第一対物レンズ
１１  試料
１２  バリアフィルタ
１３  第二対物レンズ
１９  接眼レンズ
２０  接眼鏡筒
２１  撮像鏡筒
２２  光源
３１ａ〜３１ｅ  フィルタブロック
３３  固定軸
３４，３６，４５  反射ミラー
３５，４０，４１  孔
３７  フィルタ識別部
３７ａ〜３７ｈ，Ｐ１〜Ｐ９  パネル
４４  銘板
４６  窓
５０  ＣＣＤカメラ
５１  ＣＣＤ撮像素子
５３  モニタ
５４  フォトダイオードアレイ
６１  スライダ
６２  レール
６４，３００  開口
Ｌ１  光源光
Ｌ２，Ｌ４  励起光
Ｌ３  蛍光
【図１】
2004252035.tif 000003
【図２】
2004252035.tif 000004
【図３】
2004252035.tif 000005
【図４】
2004252035.tif 000006
【図５】
2004252035.tif 000007
【図６】
2004252035.tif 000008
【図７】
2004252035.tif 000009
【図８】
2004252035.tif 000010
【図９】
2004252035.tif 000011
【図１０】
2004252035.tif 000012
【図１１】
2004252035.tif 000013